(57)【要約】応答時間が改善され且つ応答時間のばらつきが低減された圧縮エアバルブ及びノズル装置を備えるエアジェット織機に関する。本開示によって、より効率的なエネルギーの利用が実現できる。バルブ及びノズル装置はバルブを通じて圧縮エアをノズルに供給する圧縮エアの供給部に接続されている。バルブは励起電流が供給されるコイルによって磁化可能なコアを備える電磁バルブであり、少なくとも部分的に磁化可能な材料で構成された複数の積み重ねられた柔軟なプレートによって構成される弁体を備える。弁体は、バルブの吸入口と排出口とを接続するスペース内に設けられ、コイルに励起電流が流れない第１の位置と、励起電流が流れる第２の位置の２つの位置の間で移動可能である。弁体は、一方の位置で、バルブの吸入口と排出口との間に形成され且つエアジェットノズルにつながる圧縮エアの流路溝を閉塞し、他方の位置で開放するように構成される。
2017515004.tif 000002
【特許請求の範囲】
【請求項１】
エアジェット織機（１）のエアジェットノズル（３５）に圧縮エアを供給するためのエア供給装置（３０）であって、
前記エアジェットノズル（３５）に圧縮エアを供給するように構成された圧縮エア供給ユニット（３４）と、
前記圧縮エア供給ユニット（３４）と前記エアジェットノズル（３５）との間に相互に接続されたバルブ（３１）と、を備え、
前記バルブ（３１）は、
励起電流が供給されるコイル（４５）によって磁化可能なコア（４３）と、
少なくとも部分的に磁化可能な材料で構成された弁体（４９）と、を備え、
前記弁体（４９）は、少なくとも３枚の積み重ねられたプレート（５１，９１）によって構成され、
前記プレートは、少なくとも一方向において互いに関して少なくとも部分的に変位可能であり、且つ０．０２ｍｍ−０．５ｍｍの厚さを有し、
前記弁体（４９）は、前記バルブの吸入口と排出口とを相互に接続するスペース内に設けられ、前記コイル（４５）に励起電流が流れない第１の位置と、前記コイル（４５）に励起電流が流れ且つ前記弁体（４５）が前記コア（４３）に引き付けられる第２の位置の２つの位置の間のスペース内で移動可能であり、
前記弁体（４９）は、前記２つの位置の一方において、前記バルブ（３１）の吸入口と排出口との間に形成され且つ前記エアジェットノズル（３５）につながる圧縮エアの流路を閉塞し、前記２つの位置の他方において、前記圧縮エアの流路を開放するように構成されている、
エア供給装置（３０）。
【請求項２】
前記プレートは、略円形であり、１０ｍｍ−５０ｍｍの直径を有する、請求項１に記載のエア供給装置（３０）。
【請求項３】
前記弁体は、１５グラム未満の重量を有する、請求項１−２のいずれか１つに記載のエア供給装置（３０）。
【請求項４】
頂部及び底部の前記プレート（９５，９６）の少なくとも一方は、他のプレート（９１）とは別の材料で構成されている、請求項１−３のいずれか１つに記載のエア供給装置（３０）。
【請求項５】
頂部及び底部の前記プレート（９５，９６）の少なくとも一方は、他のプレート（９１）とは別の形状を有する、請求項１−４のいずれか１つに記載のエア供給装置（３０）。
【請求項６】
エアジェットノズル（３５）に圧縮エアを供給するためのエア供給装置（３０）を備えるエアジェット織機（１）であって、
前記エア供給装置は、
前記エアジェットノズル（３５）に圧縮エアを供給するように構成された圧縮エア供給ユニット（３４）と、
前記圧縮エア供給ユニット（３４）と前記エアジェットノズル（３５）との間に相互に接続されたバルブ（３１）と、を備え、
前記バルブ（３１）は、
励起電流が供給されるコイル（４５）によって磁化可能なコア（４３）と、
少なくとも部分的に磁化可能な材料で構成された弁体（４９）と、を備え、
前記弁体（４９）は、少なくとも３枚の積み重ねられたプレート（５１，９１）によって構成され、
前記プレートは、少なくとも一方向において互いに関して少なくとも部分的に変位可能であり、且つ０．０２ｍｍ−０．５ｍｍの厚さを有し、
前記弁体（４９）は、前記バルブの吸入口と排出口とを相互に接続するスペース内に設けられ、前記コイル（４５）に励起電流が流れない第１の位置と、前記コイル（４５）に励起電流が流れ且つ前記弁体が前記コア（４３）に引きつけられる第２の位置の２つの位置の間のスペース内で移動可能であり、
前記弁体（４９）は、前記２つの位置の一方において、前記バルブ（３１）の吸入口と排出口との間に形成され且つ前記エアジェットノズル（３５）につながる圧縮エアの流路を閉塞し、前記２つの位置の他方において、前記圧縮エアの流路を開放するように構成されている、
エアジェット織機（１）。
【請求項７】
前記弁体は、１５グラム未満の重量を有する、請求項６に記載のエアジェット織機（１）。
【請求項８】
前記頂部及び底部のプレート（９５，９６）の少なくとも一方は、前記他のプレート（９１）とは別の材料で構成されている、請求項６−７のいずれか１つに記載のエアジェット織機（１）。
【請求項９】
前記頂部及び底部のプレート（９５，９６）の少なくとも一方は、他のプレート（９１）とは別の形状を有する、請求項６−８のいずれか１つに記載のエアジェット織機（１）。
【請求項１０】
前記プレートは、略円形であり、１０ｍｍ−５０ｍｍの直径を有する、請求項６−９のいずれか１つに記載のエアジェット織機（１）。
【発明の詳細な説明】
【技術分野】
【０００１】
本開示は、織機に関し、特に、エアジェット織機に関する。
【背景技術】
【０００２】
様々な織機が存在している。織機の一種は、エアジェット織機と呼ばれる。エアジェット織機においては、エアの噴射を利用して横糸を採取する。エアジェットは、１つ又は複数のバルブの開閉によりノズルを通して圧縮エアを流すことによって生成される。エアは、ノズルを通じて横糸に当たり、シェッドの一端部、すなわち挿入端部からシェッドの他端部、すなわち到着端部まで横糸を搬送する。横糸がシェッドの到着端部まで確実に到達できるように、通常、比較的多くのエアジェットノズルが設けられる。まず、横糸の搬送を正確な時間で開始及び加速するために、１つ以上のメインノズルが設けられる。次に、横糸の飛行及び速度をシェッドの到着端部に到達するまで維持するために、リレーノズル又は補助ノズルと呼ばれるノズルが設けられる。エアジェット織機は、高速で横糸を採取することができる。現在のエアジェット織機においては、一般的に１０００ピック／分の採取速度が可能である。
【０００３】
現代のエアジェット織機、特に小幅ではない織機の機種における１つの弱点は、多くのノズルを設けることが必要であるために、大量の圧縮エアの生成が要求されることにある。エア圧縮装置を駆動するために電気エネルギーが要求される点で、圧縮エアはコストかかる。
【０００４】
従って、現代のエアジェット織機においては、できる限り不要なエネルギー消費量を低減することが極めて重要である。圧縮エアの漏出又は漏洩は、ノズルの圧縮エア供給システムにおける有用なエネルギーの一定の損失を表す。
【０００５】
現代のエアジェット織機の一例は、米国特許第６７９６３３８号より知られている。
【０００６】
他の一例は、ＥＰ０２１２７２５より知られ、別々のバルブを設け、協働するノズルからのエアジェットの流れの開閉を制御し、異常のあるノズルを遮断することによって、有用なエネルギーの損失を低減できることが開示されている。
【０００７】
米国特許第４８４８４１６号ではもう一歩進んで、別々のバルブ及びノズルを単一のユニットに組合せる構造を提案することによって、有用なエネルギーの損失を低減する。
【０００８】
一般に、織機の性能及び効率に対する更なる改善は、常に切迫した要求である。そのため、更に改善されたエアジェット織機が求められている。
【発明の概要】
【０００９】
本発明の課題は、更に改善されたエアジェット織機を提供することにある。
【００１０】
前記課題及び／又は他の課題は、添付の特許請求の範囲に提示される織機及びエア供給装置によって実現される。
【００１１】
本発明者に認識されているように、エアジェット織機を動作させるとき、圧縮エアを生成するために、非常に大量のエネルギーが使われる。前述したように、残念ながら、空気圧システム内における様々な圧縮エアの損失によって、生成された圧縮エアの一部を効率的に利用することができない。このような圧縮エアの損失は、深刻である。システム内において圧縮エアが効率的に利用されないことによるエネルギーの損失は、最終的にコストを上昇させることになる。
【００１２】
本発明者に認識されているように、応答時間が改善され且つ応答時間のばらつきが低減された圧縮エア供給装置を提供することによって、エアジェット織機におけるエネルギーの利用効率の改善を実現することができる。
【００１３】
いくつかの実施形態によれば、エア供給装置は、ノズルを有する圧縮エアの供給部を備えている。圧縮エアは、バルブを通じてノズルに供給される。バルブは、励起電流が供給されるコイルによって磁化可能なコアを備える電磁バルブである。バルブは、更に弁体を備えている。具体的には、当該弁体は、複数の積み重ねられた柔軟なプレートによって構成されている。弁体は、少なくとも部分的に磁化可能な材料で構成されている。また、弁体は、バルブの吸入口と排出口とを相互に接続するスペースに設けられている。また、弁体は、コイルに励起電流が流れないときの第１の位置と、コイルに励起電流が流れているときの第２の位置の２つの位置の間のスペース内で移動可能である。弁体は、２つの位置の一方において、バルブの吸入口と排出口との間のスペース内の溝を閉塞し、前記２つの位置の他方において、前記溝を開放してバルブを開放するように構成されている。
【００１４】
弁体が小さく、比較的軽量であるため、バルブの開閉の応答時間は短くすることができる。また、一回の開閉と次回の開閉とのタイミングのばらつきを抑えることができる。応答時間が短いため、バルブは、エアジェット織機におけるエアノズルの従来の供給システムに比べて、タイミングの正確性が改善されて開放されることができる。その結果、バルブが開放されるときのタイムウインドウが短縮されることによって、圧縮エアの消費量を低減することができる。また、応答時間が短縮されることによって、圧縮エアの損失を大幅に低減することができる。このことは、複数のエアノズルを備えるエアジェット織機において特に効果的である。
【００１５】
従って、本発明者に認識されているように、特定の時間でノズルが圧縮エアを提供することが不可欠である。そうでなければ、横糸がシェッドの到着端部まで確実に到達することができない、或いは、不正確な時間にシェッドの到着端部に到達する恐れがある。従来の圧縮エア供給システムにおいて、このことは、ノズルが動作開放状態になる前に、ノズルを通じた圧縮エアの流れを制御するバルブの開放によって通常回避することができる。しかしながら、過剰な時間、バルブが開放される、すなわち、バルブが開放されてから、ノズルが横糸にエアジェット流を提供することが必要になるまでの時間は、効率的な圧縮エアの利用に余分な損失を生じさせる。従って、十分なエアジェット流が要求される前に、「予め」バルブが開放されるタイムウインドウを短縮することができるのであれば、エネルギー及びコストを抑えることができる。
【００１６】
いくつかの実施形態によれば、エアジェット織機においてエアジェットノズルに圧縮エアを提供するためのエア供給装置が提供される。エア供給装置は、エアジェットノズルに圧縮エアを供給するように構成された圧縮エア供給ユニットを備えている。エア供給装置は、更に、圧縮エア供給ユニットとエアジェットノズルとの間に相互に接続されたバルブを備えている。バルブは、励起電流が供給されるコイルによって磁化可能なコアを備えている。バルブは、更に、少なくとも部分的に磁化可能な材料で構成された弁体を備えている。弁体は、複数の積み重ねられたプレートによって構成され、弁体がコアに引きつけられるときにばね力を回復又は増加させる。プレートは、少なくとも一方向において互いに関して少なくとも部分的に変位可能である。弁体は、バルブの吸入口と排出口とを相互に接続するスペース内に設けられ、コイルに励起電流が流れない第１の位置と、コイルに励起電流が流れ且つ弁体がコアに引き付けられる第２の位置の２つの位置の間のスペース内で移動可能である。弁体は、２つの位置の一方において、バルブの吸入口と排出口との間のスペースに形成され且つエアジェットノズルにつながる圧縮エアの流路を閉塞し、前記２つの位置の他方において、圧縮エアの流路を開放ように構成される。
【００１７】
ここに記載された圧縮エア供給装置を利用することによって、バルブの開閉を、非常に正確で且つ短い応答時間で実現することができる。その少なくとも一部の理由は、ここに記載されたエアジェット織機用の圧縮エア供給システムのバルブを開閉するときに、要求される移動量が少ないことにある。
【００１８】
更に、ここに記載されたエアジェット織機用の圧縮エア供給システムにおいて、一回の開閉と次回の開閉とのタイミングのばらつきを抑えることができる。
【００１９】
ここに記載されたエアジェット織機用の圧縮エアノズル及びバルブ装置の非常に高い精度、短い応答時間、及び少ないタイミングのばらつきは、有用な圧縮エアの損失を大幅に低減することができ、織機の動作に対応するコストを大幅に低減することができる。
【００２０】
本発明は、更に前記圧縮エア供給装置を備えるエアジェット織機にも及ぶ。
【図面の簡単な説明】
【００２１】
本発明について、非限定的な例を引用し、添付図面を参照しながら更に詳細に説明する。
【００２２】
【図１】エアジェット織機を示す図である。
【図２】圧縮エアノズルを示す図である。
【図３】異なるバルブ及びサブパーツを示す図である。
【図４】異なるバルブ及びサブパーツを示す図である。
【図５】異なるバルブ及びサブパーツを示す図である。
【図６】異なるバルブ及びサブパーツを示す図である。
【図７ａ】異なるバルブ及びサブパーツを示す図である。
【図７ｂ】異なるバルブ及びサブパーツを示す図である。
【図８】コントローラを示す図である。
【発明を実施するための形態】
【００２３】
図１には、従来のエアジェット織機１が示されている。エアジェット織機は、一般に、１つ以上の糸巻２１の上に設けられる横糸２０を備えている。図１に示されるエアジェット織機において、横糸２０は、横糸格納装置であるプリワインダー２２に入り込み、プリワインダー２２からメインノズル４によって採取される。メインノズル４は、１つ以上のプレノズル３によって先導される。複数のプレノズル及びメインノズル４を備えてもよい。ノズル３及び４は、エア供給ユニット１０からライン１３を通じて圧縮エアを提供される。また、エアジェット織機のシェッドを通じて確実に横糸２０を搬送するために、リレーノズル５を備えてもよい。リレーノズルも、エア供給ユニット１０から圧縮エアを提供される。更に、横糸がシェッドの到着端部（すなわち、メインノズルから見るとシェッドの反対側）に到達した後、シェッドが閉じられるまで、横糸が引っ張られた状態を維持するために、ストレッチノズル６を備えてもよい。ストレッチノズルも、エア供給ユニット１０から圧縮エアを提供される。このようなエアジェット織機は、例えば、米国特許第６７９６３３８号に記載されている。
【００２４】
エアジェット織機のエネルギー消費量を低減するために、本エアジェット織機は、以下に述べる圧縮エア供給装置を備えてもよい。
【００２５】
図２には、エアジェット織機用の圧縮エア供給装置３０が示されている。エア供給装置は、圧縮エアを生成するコンプレッサ３３を備えている。圧縮エアは、エア供給ユニット３４に蓄えられる。エア供給ユニット３４は、図１に示されるエア供給ユニット１０であってもよい。エア供給装置３０は更に、エア供給ユニット１０から圧縮エアが提供されるバルブ３１を備えている。バルブ３１は、非常に短い応答時間を有するように構成されている。バルブ３１について、以下に、より詳細に説明する。バルブ３１は、コントローラ３２によって制御される。バルブ３１の出力部は、１つ以上のエアノズル３５に接続されている。エアノズル３５は、エアジェット織機の任意のエアノズルであってもよい。エアノズル３５は、図１に示されるノズル３、４、５、６の任意のものであってもよい。バルブは、ノズルの数センチメートル以内の近傍に設けられてもよい。いくつかの実施形態において、ノズルは、バルブと同じ位置に設けられてもよいし、バルブと一体化されてもよい。
【００２６】
いくつかの実施形態によれば、同一のバルブが、複数のエアノズル３５に接続される。例えば、ノズル３５がリレーノズルである場合、同一のバルブは、複数のリレーノズルに接続されてもよい。いくつかの実施形態において、バルブは、単一のノズルへの圧縮エアの流れを制御する。
【００２７】
エア供給装置の動作を改善するために、非常に短い応答時間を有し、且つ一回の開閉と次回の開閉との応答時間のばらつきが非常に少ないバルブを利用してもよい。そうすることによって、エアジェット織機におけるエネルギーの利用を改善することができる。
【００２８】
図３には、一実施形態に係るエアジェットノズルへの圧縮エアの供給を制御する電気機械式バルブ３１の横断面が示されている。
【００２９】
バルブ３１は、アルミニウムなどの非磁性／非磁化材料の筐体４２を備えている。筐体４２の内部には、電磁性材料のコア４３が設けられている。コア４３は、コイル４５が巻かれる中央延伸部４４を有している。一実施形態において、コア４３は、略カップ形状である。他の実施形態において、コア４３は、Ｅ字状であってもよい。また、他の形状も可能である。
【００３０】
一実施形態において、中央に位置する部分４４は、カップ形状の電磁コア４３の縁部へ延在している。しかしながら、部分４４は、コアの壁の高さより短く又は長くてもよいことは理解されるであろう。
【００３１】
コイル４５は、電流源より励起電流を提供される。コントローラ３２は、励起電流を制御するために利用されてもよい。
【００３２】
コイル４５は、低いインダクタンスを有し、端子に接続される電流源は、電流発生器の特性を有することが望ましい。
【００３３】
また、弁座４６は、アルミニウムなどの非磁性／非磁化材料で構成され、コア４３に対してスペースを置いて、例えばねじ（図示せず）で筐体４２に取り付けられている。
【００３４】
バルブ３１は、更に排出口４７を有する。一実施形態において、弁座４６は、中央に位置する排出口４７を有する。他の実施形態によれば、複数の排出口４７が設けられている。
【００３５】
バルブ３１は、更に吸入口４８を有する。一実施形態によれば、バルブ３１は、排出口４７から径方向に離れている２つの吸入口４８を備えている。吸入口の数は変更することができる。少なくとも１つの吸入口４８が備えられるが、複数の利用も可能である。
【００３６】
排出口４７と吸入口４８とは、バルブ３１内のスペースを通じて連通している。一実施形態によれば、前記スペースは、弁座４６とコア４３との間に設けられている。
【００３７】
いくつかの実施形態によれば、磁化可能な材料を有する弁体４９が、バルブ内に配置されている。弁体は、複数のプレートによって構成されてもよい。また、複数のプレートは、積み重ねられた柔軟なプレートであってもよい。プレートは、同様のものであってもよい。また、プレートは、少なくとも一部が、鋼又はステンレス鋼などの磁化可能な材料で構成されている。弁体は、バルブの排出口と吸入口とを相互に接続するスペースに設けられ、コイル内に励起電流が流れないときの第１の位置と、コイル内に励起電流が流れるときの第２の位置の２つの位置の間のスペース内を移動可能である。２つの位置の一方において、弁体は、バルブの開口部を閉塞するように駆動され、２つの位置に他方において、弁体は、バルブの吸入口と排出口との間のスペース内の溝を開放して、バルブを開放するように駆動される。
【００３８】
一実施形態によれば、弁体４９は、複数の電磁性材料の柔軟なプレートを含み、当該プレートとで、ブレードスプリングを構成する。励起電流がコイル４５に供給されたとき、弁体４９は、コア４３と協働し、すなわち、コア４３に引きつけられることによって、バルブを開閉する。励起電流が供給されないとき、弁体４９は、固有のばね力で初期位置に戻る。すなわち、弁体４９がコア４３に引きつけられるときに、ばね力が高くなる。
【００３９】
いくつかの実施形態において、弁体４９は、寸法を抑えるために開位置と閉位置との間で２ｍｍ以下のストロークを有することが望ましい。また、弁体の重量は、小さく（数グラム程度）てもよい。いくつかの実施形態において、弁体４９の重量は、２−１５グラムの範囲内である。いくつかの実施形態において、弁体４９の重量は、１０グラム以下、例えば３−７グラムの範囲内である。
【００４０】
図４には、一実施形態に係る弁体４９の両側が示されている。弁体は、コイルが電流によって励起されていないときに弁座に戻ることができるようにブレードスプリングとして構成されている。
【００４１】
図５には、他の実施形態に係る弁体４９の側面分解図が示されている。弁体４９は、複層の磁化可能な材料の柔軟なプレート９１によって構成されている。コアが電流によって励起されていないときに弁体４９が弁座に戻ることができるように、複数のプレート９１が積み重ねられてブレードスプリングを構成する。各プレート９１は、例えば、好適なタイプのステンレス鋼などの軟質磁性材料の薄いシートよって構成されている。また、弁体４９は、ナット９２及びボルト９３により構成されるボルト継手を備えている。更に、バルブが閉じられたときに弁体と弁座との密閉性を高めるために、弾性材料で構成されたシール部材９４がボルト９３に取り付けられている。また、図５において９５及び９６で示されている複数の積み重ねられたプレート９１の頂部及び底部のプレートの片方又は両方は、他のプレート９１よりも厚く構成されてもよいし、非磁化材料などの他の材料で構成されてもよい。いくつかの実施形態によれば、排出口に対向するプレートは、積み重ねられたプレート９１における他のプレートとは異なるように設計されている。また、当該プレートは、弁体の他のプレートよりも厚く構成されるか、或いは、非磁化素材などの他の材料で構成されてもよい。このような設計は、排出口に対向するプレートが、機械的なストレスに対して他のプレートよりも高い耐性を有する点で有利である。また、更なる実施形態において、外側のプレートの一方又は両方が安価なスペア部品に容易に交換可能に構成される場合には、排出口に対向するプレートが、他のプレートに対して、高い耐摩耗性などの他の特性を有することによって、弁体４９及びバルブの寿命を増加させることができる。
【００４２】
弁体４９の各プレート９１は、略円形の周縁部を有し、厚さは、プレートの直径よりも小さい。弁体におけるプレートの典型的な寸法は、厚さ０．０２ｍｍ−０．５ｍｍの間である。いくつかの実施形態によれば、弁体４９の直径は、１０ｍｍ−５０ｍｍの範囲内であって、有利的には２０ｍｍ−３５ｍｍの間である。いくつかの実施形態によれば、プレートの厚さは、約０．０３−０．０７ｍｍ、例えば約０．０５ｍｍである。一実施形態において、プレートは、均一の厚さを有する。
【００４３】
弁体を構成する積み重ねられた薄いプレート９１の枚数は、変更されてもよい。いくつかの応用例において、薄いプレートの枚数は、２−５０枚である。他の応用例において、プレートの枚数は、３−４０枚であり、５−２０枚の範囲内である。いくつかの実施形態において、互いに接触する少なくとも２枚のプレートは、本質的に同一である。この少なくとも２枚の本質的に同一のプレートには、前述した別の寸法又は別の材料で構成された外側のプレートが追加されてもよい。いくつかの実施形態において、プレートの形状は、略円形又は湾曲した形状とは異なってもよい。例えば、プレートの周縁部は、図７ａ及び図７ｂを参照して以下に説明する実施形態のように、略矩形の形状を有してもよい。
【００４４】
また、図６に示されるように、プレート、特に各プレートには、径方向に向けられたスリット９７が設けられてもよい。一実施形態によれば、スリットは、プレートの周縁部に向かって径方向における幅が増加するように構成されてもよい。一実施形態によれば、スリット９７は、プレートの周縁部まで延在する。いくつかの実施形態によれば、スリットは、プレートの周縁部においてスリットの幅が減少するように形成されている。このようにして、中央部から延在して、本質的に円形の弁体を構成するように、複数のＴ字状の舌部を有する弁体が構成されている。外側のプレートは、Ｔ字状の舌部を有してもよい。Ｔ字状の外側の舌部は、大きい摩耗面を保持しつつ、良好なばね特性を提供する。更に、いくつかの実施形態によれば、弁体の頂部及び／又は底部プレート９５，９６は、弁体の他のプレートのスリットとは異なるように形成されたスリット９８を有してもよい。また、弁体４９の外側のプレートのスリット９８は、より大きくてもよい。すなわち、他のプレート９１の対応するスリット９７よりも、プレートから大きな切り抜き面積を有してもよい。スリットの正確な形状は、応用例に応じて変更することができる。スリットの設計は、弁体の所望のばね特性を選択するために利用されてもよい。また、スリットの設計は、弁体の磁性的特性を選択するために利用されてもよい。
【００４５】
前述したように、いくつかの実施形態によれば、弁体４９の頂部及び／又は底部のプレートは、他のプレートとは異なるように設計されている。弁体４９の頂部及び／又は底部のプレートは、摩耗プレートとして機能するように、他のプレートよりも厚く構成されるとともに、別の材料で構成されてもよい。また、プレート９５，９６は、弁体４９の信頼性を向上させ、弁体４９の取扱いを容易にするとともに安定させることができる。
【００４６】
一実施形態によれば、弁体のプレート９１は、前述したように、ボルト継手によって固定されている。また、弁体は、全てのプレートの中央部に設けられた１つのボルト継手によって単一のユニットとしてまとめられ、弁座とコアとの間のスペース内で移動可能である。弁体の個々のプレートの固定方法は、他にも想定することができる。例えば、弁座を構成するプレートの積み重ねられたパッケージは、クランプ又は接着されてもよい。その利用方法に関わらず、少なくとも弁体のいくつかの部分において、弁体の個々のプレートの間の変位を可能にする固定方法を利用することが有利である。この場合、プレートは、少なくとも部分的に、例えば径方向などの少なくとも一方向に互いに関して変位することができる。一実施形態によれば、プレートは、中央部において互いに固定され、外側の部分においてプレートの径方向に互いに変位することができる。このことは、励起位相中にコアによって引きつけられ、非励起位相中に弁体の本来のばね力によってそれぞれ戻るとき、前記固定位置の外側において、弁体の個々のプレートの間の滑りに関して、実質的に径方向の僅かな移動を許容する。また、弁体の個々のプレートの間の移動、例えば径方向の移動は、更に、バルブの開閉位置に対応する２つの位置の間における弁体の移動を減衰させるのに役立つ。
【００４７】
ここに記載したように、バルブ３１は、弁体４９を利用する他の設計を有してもよい。通常、弁体４９は、バルブ内のスペースに設けられ、電磁体により発生された磁場に応じて２つの位置の間で移動する。この２つの位置は、バルブの開、閉状態に対応する。
【００４８】
図７ａには、バルブ３１の他の実施形態が示されている。理解し易くするために、バルブ３１の一部のみが図７に示されている。バルブは、筐体（図示せず）の内部にコア４３を備えている。コア４３は、略Ｕ字状であってもよい。また、コア４３は、コイル４５によって磁化されてもよい。コイル４５は、Ｕ字状のコアの片足に巻き付けられることが望ましい。バルブ３１は、更に弁体４９を備えている。弁体４９は、一方の端部がコア４３に取り付けられている。Ｕ字状のコアの場合、弁体４９は、Ｕ字状のコアの一方の端部に取り付けられてもよい。弁体４９の他方の端部は、弁座（図示せず）とコア４３との間のスペースに設けられてもよい。また、弁体４９の他方の端部は、Ｕ字状のコアの他方の端部に密接に接続するように設けられてもよい。コアが磁化されたとき、弁体４９は、コアと協働し、２つの位置（開位置及び閉位置）の間で移動する。一方の位置は、弁体がコア４３に引きつけられたときの位置であり、他方の位置は、コア４３が磁化されず、弁体が増加されたばね力によって初期位置に戻る位置である。弁体４９は、更にリップ２９を備える外端部を有してもよい。リップは、バルブ３１の吸入口／排出口（図示せず）と関連して動作するように設けられてもよい。弁体がコイル４５に提供される励起電流に応じて２つの位置の間で移動するとき、リップ２９は、バルブ３１から吸入口／排出口を開放／閉塞するように動作する。
【００４９】
図７ｂには、図７ａの弁体４９が、分解図及び組立外観図でより詳細に示されている。弁体４９は、複数の積み重ねられたプレート５１によって構成されている。プレート５１は、例えば、１０ｍｍ−５０ｍｍの長さ又は幅の断面を有し、前述した略円形のプレートの厚さに対応する厚さを有する。プレートは、略矩形の形状を有してもよい。一部において、プレートは、互いに固定されている。一実施形態において、プレートは、一方の端部に固定されている。プレートは、ボルト継手５２によって固定されている。一実施形態において、積み重ねられたプレートは、直接的にコア４３にボルトで止められている。積み重ねられたプレートが互いに固定されていない他部において、プレートは、少なくとも一方向に互いに関して変位してもよい。一実施形態によれば、弁体４９は、他部において個々のプレートの互いに関する変位を制限する（完全には阻止しない）ために、締め金５３を備えている。一実施形態によれば、ボルト継手５２は、積み重ねられた矩形のプレートの一方の端部に設けられ、締め金５３は、積み重ねられた矩形のプレートの他方の端部に設けられている。締め金５３は更に、コアの磁化の切り換えの結果として、弁体が２つの位置の間で移動するとき、吸入口／排出口を開閉するように、吸入口／排出口と協働するように構成されてもよい。吸入口／排出口が閉塞されたときに良好な密閉性を提供するために、シール部材が締め金５３に取り付けられてもよい。
【００５０】
特定の実施形態と共に記載された特徴が、当該特定の実施形態に限定されないことは、理解されるであろう。反対に、実施形態は、異なる設計オプションの例としてのみ役立つ。また、異なる実施形態の特徴を組合せることも可能である。例えば、図７ｂに示される弁体４９は、別の寸法又は別の材料で構成された外側のプレートを備えてもよい。
【００５１】
図８には、バルブ３１を制御するコントローラ３２が示されている。コントローラ３２は、電磁体のバルブ３１に電流を出力する出力部８１を備えている。また、コントローラ３２は、処理ユニット８２を指すマイクロプロセッサを更に備えている。処理ユニット８２は、メモリ８３に接続され、メモリ８３に保存されているコンピュータプログラムの指令を実行することができる。メモリ８３は、処理ユニット８２がアクセス可能な内容を保存してもよい。コンピュータプログラムの指令は、適切な時間にバルブを開放するようにプログラムされてもよい。
【００５２】
ここで記載されたエアジェット織機及びエア供給装置を利用することによって、エアジェット織機においてより効率的なエネルギーの利用を提供することができる。
【００５３】
前記エアジェット織機の提供により、エアジェット織機の動作の消費エネルギーを大幅に低減することができる。また、磁性的特性を有する積み重ねられたプレートの組立構造が、ここに記載された圧縮エアの供給を制御するバルブ内に設けられることによって、１つ及び同様の要素において、
−積層体の複数のプレートの全ての総断面積によって、適当な磁気の流れの形状及び強度を実現することができる。それにより、励起位相中に前記要素（バルブの開放、閉塞、又はその逆）の強くて速い前進動作が可能となる。
−同時に、積層体における複数の薄い（且つ柔軟な）プレート、及びこれらプレートの互いに関して少なくとも部分的な可動性によって、積層体における有利なばね特性を実現することができる。それにより、非励起位相中に前記要素（バルブの開放／閉塞、又はその逆）の強くて速い復帰動作が可能となる。
【００５４】
これらの特徴は、圧縮エアの供給を制御するバルブを開閉し、エネルギーの損失を低減することができる圧縮エア供給装置をもたらす。バルブをエアノズルの近傍に、又はエアノズルと一体化するように設けることは、圧縮エアの損失を更に低減することができるため、有利である。
【図１】
2017515004.tif 000003
【図２】
2017515004.tif 000004
【図３】
2017515004.tif 000005
【図４】
2017515004.tif 000006
【図５】
2017515004.tif 000007
【図６】
2017515004.tif 000008
【図７ａ】
2017515004.tif 000009
【図７ｂ】
2017515004.tif 000010
【図８】
2017515004.tif 000011
【国際調査報告】
2017515004.tif 000012
2017515004.tif 000013
2017515004.tif 000014